(57)【特許請求の範囲】
【請求項１】
外観上、把手部１、筒状連結部２、長筒照明部３、短筒状キャップ部５が把手部の軸方向に棒状体である誘導灯Ｘに於いて、前記長筒照明部３の先端部のキャップ部５Ａは、下端が開口２８しかつ下壁部２４に連設する外周壁２３の周縁部に鍔状係止部分２３ａを有する硬質性のキャップ本体２１と、このキャップ本体に外装的に嵌合しかつ前記鍔状係止部分に係止された環状の被係止部分３５を有する軟質の合成樹脂材又はゴムのいずれかで出来ている筒状保護カバーとから成ることを特徴とする誘導灯。
【請求項２】
請求項１に於いて、キャップ本体は、下壁部の外周壁に筋条の第２係合部を有することを特徴とする誘導灯。
【請求項３】
請求項１に於いて、キャップ本体は、その縦断面を基準にすると、下壁部の外周壁が、下端開口から上壁部に向かって外方向に指向する傾斜面であることを特徴とする誘導灯。
【請求項４】
請求項１に於いて、キャップ本体は、筒状の下壁部２４と鍔状係止部分２３ａを有する上壁部２３との間に括れ状の連設壁２５を有することを特徴とする誘導灯。
【請求項５】
請求項１に於いて、キャップ本体は、光を透過させる機能を有し、一方、筒状の保護カバーは、両端開口の筒状体であり、上壁部用の窓に相当する上端開口の内径寸法は、下端開口の内径寸法よりも小さいことを特徴とする誘導灯。
【請求項６】
請求項５に於いて、キャップ本体は、括れ状の連設壁に連設すると共に、筒状下壁部の内周壁面に対向するように突壁状の嵌合支持部分を有することを特徴とする誘導灯。
【請求項７】
請求項１に於いて、軟質性の筒状保護カバーは、キャップ本体に対して軟かい素材を流し込む成形方式（中子方式）で外装的に嵌合していることを特徴とする誘導灯。
【発明の詳細な説明】
【技術分野】
【０００１】
本発明は、車両や人を誘導するために用いられる誘導灯（合図灯）に関し、特に光源として発光ダイオードを用いた誘導灯に適する。
【背景技術】
【０００２】
特許文献１、他の文献（意匠文献）２には、「誘導灯の具体的構成」が開示されている。これらの発明は、例えば高速道路、一般道路等の道路に於いて、車両を特定の場所へと誘導する場合、誘導する者（例えば警察官）が、誘導される者（運転手）に対して、片手で誘導灯の把手部（握り軸）を握り締め、照明部（点灯・点滅する部分）を大きく振ったり、回したり等の指示や合図する場合に有益である。
【０００３】
ここで、後述する本願発明の主要部を特定する必要上（新規事項の特定上）、特許文献１に記載の発明の公知構成を説明する。なお、特許文献１には、その構成及び作用が詳細に記載されているが、公報を援用することは禁止されているので、ここで、基本的な構成について説明する。
【０００４】
（ａ）従来の第１実施例
図１乃至図３は、特許文献１の実施例を示す各説明図である。まず、図１は発明の環境全体を示す概略説明図、図２は図１の２−２線拡大断面図、図３は長筒照明部を連結部から外した状態の概略説明図である。以下、説明の便宜上、公報に記載の符号をそのまま用いる。
【０００５】
（ｂ）具体的構成
まず、Ｘは誘導灯で、この誘導灯Ｘは、把手部１と、押釦４を備えた筒状連結部２と、長筒照明部３と、この長筒照明部３の先端部に固定されたキャップ部５とから成る。外観上、把手部１、筒状連結部２、長筒照明部３、短筒状キャップ部５は把手部１の軸方向に棒状体である。
【０００６】
次に、把手部１は連結部２に取り外し可能に螺着し、電源（乾電池）を内蔵している。また、連結部２は、内部に各発光ダイオードを点滅させるための回路チップを有すると共に、外周壁の適宜部位にスイッチＯＮ、ＯＦＦ用の押釦４を有している。前記押釦スイッチ４は、把手部１を回転してスイッチがＯＮ、ＯＦＦする回転方式であっても良い。
また、長筒照明部３の取付け基端部３ａは開口し、一方、その先端部３ｂには、硬質性キャップ部５が一体的に固定されている。
【０００７】
また、長筒照明部３の内周壁には、拡散効果を得るために長手方向に多数の条溝が形成されている（図２参照、横断面鋸歯状）。また、特に図示しないが、長筒照明部３の内周壁には、乱反射機能を有する反射シートが設けられる。
【０００８】
さらに、内部構成について付言すると、１０は弾性の透明支持部材で、この支持部材１０は、薄い長板状のベース板部１１と、このベース板部１１の両端部にそれぞれシート状に連設する複数個の可撓性弧状支持板部１２とから成る。ベース板部１１及び可撓性弧状支持板部１２は、長筒照明部３と略同一の長さである。支持板部１２は、透明の支持部材１０に長筒照明部３が外嵌合した際に材質自体の復帰力により外拡変位し、長筒照明部３の内周壁にそれぞれ圧接する。
【０００９】
一方、ベース板部１１には左右一対の導線１３，１３が平行に設けられている。複数個の発光ダイオード１４は、これらの導線１３，１３内に長手方向に所定間隔離間して配線されている。各発光ダイオード１４は、長筒照明部３の先端部３ｂないしキャップ部５に向かって光を照射するようにプラス側とマイナス側の導線１３，１３にそれぞれ接続されている。
【００１０】
１６は発光ダイオード１４の光の一部を長筒照明部３の先端部３ｂ側へ透過させると共に、他の一部を長筒照明部３の側壁３ｃの方へ反射させる薄壁状の透明・反射部である。透明・反射部１６は、各発光ダイオード１４，１４（例えば１４ａと１４ｂ間の光路、１４ｂと１４ｃ間の光路）にそれぞれ設けられ、かつ、少なくとも一つ以上の断面アングル状部分（例えば直角部分、鋭角や鈍角を問わず直角的部分）を有している。各発光ダイオードは、点燈又は点滅型であり、支持部材１０に所定間隔離間して一体に配設されている。
【００１１】
（ｃ）問題点
誘導灯Ｘの長筒照明部３とは別個に成形されキャップ部５は、一般的に硬質（例えば硬質の合成樹脂）であり、その周壁状の嵌合部が接着層を介して長筒照明部３の先端部３ｂに固定的に外嵌合している。したがって、例えば警察官が片手で誘導灯の把手部（握り軸）１を握り締め、照明部（点灯・点滅する部分）３を大きく振っても、キャップ部５が長筒照明部３から外れることはない。
【００１２】
ところで、警察官は、例えば高速道路で車両を誘導する際、前述したように誘導灯Ｘを振り回すが、不注意により、誘導灯Ｘが車両のボディーに当ってしまう場合がある。このような場合車両にキズ（痕跡）が生じなければ問題がないが、仮に当たったキズが見えると、誘導された運転手は、「キズを付けられた」と文句を言う場合がある。したがって、トラブルが発生するような事態を未然に防止したい。
【特許文献１】特開２００３−２１７３３０号公報
【特許文献２】意匠登録第８９０００２号公報
【発明の開示】
【発明が解決しようとする課題】
【００１３】
本発明の第１の目的は、誘導する者が、誘導する際、誘導灯をうっかり車両のボディーに当てても、当たられた方の車両には「キズ（痕跡）」が生じないことである。第２の目的は、誘導灯を振り回しても、キャップ部を構成する保護カバーがキャップ本体から容易に外れないことである。付随的な目的は、保護カバーの交換が可能なことである。
【課題を解決するための手段】
【００１４】
本発明の誘導灯Ｘは、  外観上、把手部１、筒状連結部２、長筒照明部３、短筒状キャップ部５が把手部の軸方向に棒状体である誘導灯Ｘに於いて、前記長筒照明部３の先端部のキャップ部５Ａは、下端が開口２８しかつ下壁部２４に連設する外周壁２３の周縁部に鍔状係止部分２３ａを有する硬質性のキャップ本体２１と、このキャップ本体に外装的に嵌合しかつ前記鍔状係止部分に係止された環状の被係止部分３５を有する軟質の合成樹脂材又はゴムのいずれかで出来ている筒状保護カバーとから成ることを特徴とする。
【００１５】
上記構成に於いて、キャップ本体の係止機能は、下壁部の外周壁に形成された筋条第２係合部であることを特徴とする。また、キャップ本体の係止機能は、縦断面を基準にすると、下壁部の外周壁が、下端開口から上壁部に向かって外方向に指向する傾斜面であることを特徴とする。また、キャップ本体は、光を透過させる機能を有し、一方、筒状保護カバーは、両端開口の筒状体であり、上壁部用の窓に相当する上端開口の内径寸法は下端開口の内径寸法よりも小さいことを特徴とする。また、キャップ本体は、筒状下壁部と鍔状上壁部との間に括れ状の連設壁を有することを特徴とする。また、キャップ本体は、筒状の下壁部２４と鍔状係止部分２３ａを有する上壁部２３との間に括れ状の連設壁２５を有すると共に、筒状下壁部の内周壁面に対向するように突壁状の嵌合支持部分を有することを特徴とする。
【００１６】
さらに、軟質性の筒状保護カバーは、キャップ本体に対して軟かい素材を流し込む成形方式（中子方式）、板状の素材を巻き付けるようにする熱溶着方式、筒状保護カバー自体の弾性変形機能及び弾性変形復帰機能による嵌め込み方式、螺合方式、固着具方式のいずれかの態様で硬質性キャップ本体に外嵌合していることを特徴とする。
【００１７】
したがって、ここで、「外装的に嵌合」しとは、キャップ本体に嵌め合わせる実施例の他、本実施例のように、金型で成形（例えば二重成形）する場合も含まれる。また、ここでの「係合部」と「被係合部」は、いずれが凸か、凹かを問わない。要はオスとメスの係合関係になれば良い。
【発明の効果】
【００１８】
以上の説明から明らかなように、本発明にあっては、次に列挙するような効果がある。
（１）請求項１に記載の発明は、キャップ本体に軟質の合成樹脂材又はゴムのいずれかでできている筒状保護カバーが外装的に嵌合しているので、誘導する者が、誘導する際、誘導灯をうっかり車両のボディーに当てても、当たられた方の車両には「キズ（痕跡）」が生じない。
（２）また、誘導灯を振り回しても、キャップ部を構成する保護カバーがキャップ本体の鍔状係止部分から容易に外れない。
（３）請求項５の発明は、上壁部用の窓に相当する上端開口から光が見えるので、誘導灯の機能を阻害しない。
（４）請求項６の発明は、キャップ本体の係止機能を十分に高めることができる。
（５）請求項７の発明は、保護カバーが損傷した場合には、保護カバーを外し（切り裂く場合も含む）、新しいものに交換できる。
【発明を実施するための最良の形態】
【００１９】
図４乃至図６を参照にして、本発明の第１実施例を説明する。なお、本発明の各実施例の説明に当たって、従来の実施例と同一又は同様（機能が同一）の部分には、同一又は同様の符号を付し、重複する説明を省略する。
【００２０】
まず、Ｘ１は誘導灯で、該誘導灯Ｘ１も、公知例と同様に、把手部１と、押釦４を備えた筒状連結部２と、長筒照明部３と、この長筒照明部３の先端部に固定（例えば接着層を介して固定）されたキャップ部５Ａとから成る。
【００２１】
外観上、把手部１、筒状連結部２、長筒照明部３、短筒状キャップ部５Ａは把手部１の軸方向に一体的に連結された棒状体である。次に、前記従来の実施例（公知例）と異なる点は、次の通りである。
【００２２】
（１）キャップ部５Ａ
長筒照明部３とキャップ部５Ａとは、それぞれ別体に成形され、前記長筒照明部３の先端部３ｂに接着層を介して固定的に外嵌合するキャップ部５Ａは、下端が円形に開口２８し、かつ、外周壁に係止部分を有する硬質性キャップ本体２１と、このキャップ本体２１に外装的に嵌合し、かつ、前記係止部分に係止された被係止部分を有する軟質性の保護筒状カバー２２とから成る。
【００２３】
（２）外装的嵌合−成形方式
図５に示すキャップ部５Ａの一例は、まず、硬質の合成樹脂材を素材にして、下壁（周壁）部２４と上面がやや弧状の上壁部２３とを有する下端開口２８のキャップ本体２１を成形し、次に、図示しない金型にキャップ本体２１を嵌め込み、該キャップ本体２１に対して軟質の合成樹脂材を素材にして、前記金型に流し込み、軟質性の保護筒状カバー２２を外装的に嵌合することにより製作されている。つまり、外装的嵌合は、成形方式（中子方式）である。なお、軟質の素材は、ゴムであっても良い。
【００２４】
（３）キャップ本体２１の係止機能
キャップ本体２１の係止機能は、上壁部２３の外周壁に形成された鍔状の第１係合部２３ａである。また、キャップ本体２１の補助的な係止機能は、下壁部２４の外周壁に形成された筋条の第２係合部２４ａである。前記鍔状第１係合部２３ａは、筒状下壁部２４と鍔状上壁部２３との間に括れ状の連設壁（括れ中壁）２５を形成することによって出来上がっている。
【００２５】
一方、前記筋条第２係合部２４ａは、下壁部２４の外周壁の周方向に形成された筋条の溝であり、この筋条の溝２４ａは、下端開口から上壁部に向かって、かつ、所定間隔で合計４個設けられている。もちろん、設計如何によって、前記筋条の溝２４ａを、筋条の突起に変更することもできる。また、筋条の溝２４ａは、単数であっても良い。さらに、筋条の溝２４ａは、途中で分離しても良い。要は、キャップ部５Ａを構成する保護カバー２２が、誘導灯Ｘを振ったときにキャップ本体２１から容易に外れないような係止機能を発揮できる構成であれば良い。
【００２６】
（４）嵌合支持機能
またキャップ本体２１は、長筒照明部３の先端部３ｂに対して嵌合支持機能を有する。すなわち、２６は括れ状の連設壁２５に連設すると共に、筒状下壁部２４の内周壁面に対向する突壁状の嵌合支持部分である。この嵌合支持部分２６は、本実施例では、筒状下壁部２４の内周壁面に対して所要間隙を有する周壁となっている。もちろん、周壁には、その下端面から軸方向にスリットや切欠部を設けても良い。したがって、長筒照明部３の先端部３ｂにキャップ部５Ａを嵌め込むと、キャップ本体２１の下向き嵌合凹所２７内に前記先端部３ｂがぴったりと嵌合する。
【００２７】
（５）保護カバー２２
保護カバー２２は、両端開口の筒状体であり、上壁部用の窓に相当する上端開口３１の内径寸法は下端開口３２の内径寸法よりも小さい。保護カバー２２の上壁３３に、すり鉢形状の内壁面３３ａを形成する前記上端開口３１を形成した理由は、キャップ本体２１が光を透過させる機能を有することから、誘導灯Ｘの機能を阻害しないようにするためである。したがって、本実施例の誘導灯Ｘは、先端部（キャップ部５Ａの上壁部２３）からも光が見える。
【００２８】
また、保護カバー２２はキャップ本体２１に外装的に嵌合することから、図６で示すように、縦断面が指先状の上壁３３に連設する周壁３４の内周面３４ａには、鍔状の第１係合部２３ａが係合する環状の第１被係合部３５及び複数個の筋条の第２係合部２４ａが係合する第２被係合部３６がそれぞれ周設されている。
【００２９】
（６）第２実施例
次に、図７及び図８を参照にして、本発明の第２実施例を説明する。なお、第２実施例の説明に当たって、第１実施例と同一又は同様（機能が同一）の部分には、同一又は同様の符号を付し、重複する説明を省略する。
【００３０】
この第２実施例は、キャップ部５Ｂの構造が、前記第１実施例と異なる。すなわち、キャップ部５Ｂのキャップ本体２１Ａの係止機能は、縦断面を基準にすると、下壁（周壁）部分２４の外周面２４ａが、下端開口２８から上壁部２３に向かって外方向に指向する傾斜面（係止面）である。
【００３１】
したがって、筒状の保護カバー２２Ａの周壁３４の内周壁３４ａも、前記縦段面傾斜状の外周壁２４ａに面接触状態で合体するように縦段面傾斜状に形成されている。なお、この実施例の場合の「外装的に嵌合」も、成形方式（中子方式）である。
【実施例】
【００３２】
第１実施例に於いて、特に図示しないが、軟質性の筒状保護カバーは、キャップ本体に対して軟かい素材（エチレンビニール、アセテート、軟質塩化ビニール、軟質ゴム、シリコン等）を流し込む成形方式（中子方式）の他、板状の素材を巻き付けるようにする熱溶着方式、筒状保護カバー自体の弾性変形機能及び弾性変形復帰機能による嵌め込み方式、螺合方式、固着具方式のいずれかの態様で硬質性キャップ本体に外嵌合しても良い。
【００３３】
また、キャップ部５Ａのキャップ本体２１と本体側の長筒照明部３の先端部３ｂとを予め一体成形しておいても良い。したがって、これらの設計変更例は、均等事項である。その他、キャップ本体２１（２１Ａ）の上壁部分の内面には、内部構造が見えないように環状の段差状カット模様が施されている。
【図面の簡単な説明】
【００３４】
図１乃至図４は、従来の実施例を示す各説明図。図４乃至図６は、本発明の第１実施例を示す各説明図。図７及び図８は、本発明の第２実施例を示す各説明図。
【図１】発明の環境全体を示す概略説明図。
【図２】図１の２−２線拡大断面図。
【図３】長筒照明部を連結部から外した状態の概略説明図。
【図４】本発明の第１実施例を示す図１と同様の概略説明図。
【図５】キャップ部の構成を示す縦断面概略説明図。
【図６】キャップ部の構成部材を分離した縦断面概略説明図。
【図７】本発明の第２実施例を示す図５と同様の縦断面概略説明図。
【図８】キャップ部の構成部材を分離した図５と同様の縦断面概略説明図。
【符号の説明】
【００３５】
Ｘ１…誘導灯Ｘ、１…把手部、２…筒状連結部、３…長筒照明部、３ｂ…先端部、４…押釦、５Ａ，５Ｂ…キャップ部、２１，２１Ａ…硬質性のキャップ本体、２２，２２Ａ…軟質性の保護筒状カバー、２３…上壁部、２３ａ…鍔状第１係合部、２４…下壁部、２４ａ…筋条第２係合部（又は傾斜状の外周壁）、２５…連設壁（括れ中壁）、２６…嵌合支持部分、３１…上端開口、３２…下端開口、３３…保護カバーの上壁、３３ａ…すり鉢形状の内壁面、３５…第１被係合部、３６…第２被係合部。
【図１】
0004435043.tif 000002
【図２】
0004435043.tif 000003
【図３】
0004435043.tif 000004
【図４】
0004435043.tif 000005
【図５】
0004435043.tif 000006
【図６】
0004435043.tif 000007
【図７】
0004435043.tif 000008
【図８】
0004435043.tif 000009